(57)【要約】      （修正有）【課題】乗員がシートベルトをかけた後、必要以上にベルトが引き出されない様にする為の、信頼性の高い自動巻取り式モードを可能にしたベルト巻取装置を提供する。【解決手段】シートベルト用ベルト巻取装置は、ベルトリールと、ベルトリールに連結された偏心ディスクと、偏心ディスクによって駆動されるカムディスクと、ブロック爪とを有する。ブロック爪は、ブロック位置において歯付ラチェットをブロックし、解除位置において歯付ラチェットに影響を及ぼさないままにする。ブロック爪は、カムディスクによって解除位置からブロック位置に、また反対に、ブロック位置から解除位置に切り換わる。ベルト巻取装置が許容誤差に無関係であるようにするには、カムディスクが、ブロック爪のブロック位置に係合する係合カムと、ブロック爪の解除位置に係合する係合解除カムとを有するようになされている。【選択図】      図１
2004262447.tif 000002
【特許請求の範囲】
【請求項１】
ベルトリールと、
前記ベルトリールに対し回転に関し固定状に連結された偏心ディスクと、
係合カムと、当該係合カムとは別個に設けられた係合解除カムとを備えるとともに、前記偏心ディスクによって直接的に駆動されるカムディスクと、
シートベルトの引出方向に前記ベルトリールとともに回転するように構成された歯付ラチェットと、
ブロック位置において前記歯付ラチェットの回転を規制し、解除位置において前記歯付ラチェットに影響を及ぼさない状態とするブロック爪であって、前記カムディスクを介して前記解除位置から前記ブロック位置へと、または前記ブロック位置から前記解除位置へと切り換わるように構成されたブロック爪とを有し、
前記カムディスクの係合カムが、前記ブロック位置における前記ブロック爪に係合するように構成され、前記カムディスクの係合解除カムが、前記解除位置における前記ブロック爪に係合するように構成されていることを特徴とするシートベルト用ベルト巻取装置。
【請求項２】
前記ブロック爪が、前記係合カムとのみ相互作用する係合レバーと、前記係合解除カムとのみ相互作用する係合解除レバーとを有することを特徴とする請求項１に記載のベルト巻取装置。
【請求項３】
前記ブロック爪が回転軸回りに回転可能に取付けられていることを特徴とする請求項１に記載のベルト巻取装置。
【請求項４】
前記回転軸がベルト巻取装置のハウジング上に設けられていることを特徴とする請求項３に記載のベルト巻取装置。
【請求項５】
前記ブロック爪がスプリングによって前記ブロック位置または前記解除位置にロックされることを特徴とする請求項１に記載のベルト巻取装置。
【請求項６】
前記スプリングが金属スプリングを含むことを特徴とする請求項５に記載のベルト巻取装置。
【請求項７】
前記スプリングが樹脂スプリングを含むことを特徴とする請求項５に記載のベルト巻取装置。
【請求項８】
前記スプリングが前記ベルト巻取装置ハウジング上に位置する樹脂材を含むことを特徴とする請求項７に記載のベルト巻取装置。
【請求項９】
前記スプリングが２つの凹部を有し、一方の凹部が、前記ブロック位置で前記ブロック爪の係止凸部を係止し、もう一方の凹部が、前記解除位置で前記ブロック爪の係止凸部を係止することを特徴とする請求項５に記載のベルト巻取装置。
【請求項１０】
前記ブロック爪が、前記ブロック位置から前記解除位置、または前記解除位置から前記ブロック位置へと切り換えられる際に、前記スプリングが死点を超えるように構成されていることを特徴とする請求項５に記載のベルト巻取装置。
【請求項１１】
前記係合レバーが、前記カムディスクの前記係合解除カムを介しては偏向及び／又は接触されないように構成され、前記ブロック爪の前記係合解除レバーが、前記カムディスクの前記係合カムを介しては偏向及び／又は接触されないように設定して配置されていることを特徴とする請求項２に記載のベルト巻取装置。
【請求項１２】
前記カムディスクの２つのカムの一方の切換作用面が、他方のカムの切換作用面よりも前記カムディスクの中心点から離れていることを特徴とする請求項１１に記載のベルト巻取装置。
【請求項１３】
前記係合解除カムと前記係合カムが、前記カムディスクの他の部分に比べて隆起していることを特徴とする請求項１１に記載のベルト巻取装置。
【請求項１４】
前記カムディスクの２つのカムの一方が、他方のカムより高く隆起するように構成されていることを特徴とする請求項１３に記載のベルト巻取装置。
【請求項１５】
前記カムディスクが歯付外縁部を有し、前記外縁部の歯が、前記ハウジングに固定された内歯リングによって囲まれ、前記歯付外縁部が、前記内歯リングの径よりも大きい径を有するとともに相補形とされた歯を有し、前記カムディスクが、周方向について限定された範囲に渡り前記内歯リングに噛合し、前記外縁部と前記内歯リングの歯が、ベルト巻取装置の前記ベルトリールの回転時に、前記カムディスクが前記内歯リングに沿って転動するように、前記外縁部の歯と前記内歯リングの歯が互いに対向し径方向に離れるように配置されていることを特徴とする請求項１に記載のベルト巻取装置。
【請求項１６】
前記偏心ディスク、前記内歯リング、および前記カムディスクが減速ギアを構成することを特徴とする請求項１５に記載のベルト巻取装置。
【請求項１７】
前記カムディスクがＮ個の歯を有する場合に、前記内歯リングがＮ＋１個の歯を有することを特徴とする請求項１６に記載のベルト巻取装置。
【請求項１８】
前記歯数Ｎが２６であることを特徴とする請求項１６に記載のベルト巻取装置。
【請求項１９】
前記偏心ディスク、前記内歯リング、および前記カムディスクが、ウォッブルギアを構成することを特徴とする請求項１５に記載のベルト巻取装置。
【請求項２０】
ベルトリールと、
前記ベルトリールに連結された偏心ディスクと、
係合カムと係合解除カムとを備えるとともに、前記偏心ディスクによって駆動されるカムディスクと、
ブロック位置と解除位置に配置されて、前記ブロック位置にある場合に、シートベルトの回転引出方向に対して前記ベルトリールと同時に回転する歯付ラチェットをブロックし、前記解除位置にある場合に、前記歯付ラチェットの回転が影響を受けないように構成されたブロック爪であって、前記カムディスクによって前記解除位置から前記ブロック位置に、または前記ブロック位置から前記解除位置に切り換わるように構成されたブロック爪とを有し、
前記カムディスクの係合カムが、前記ブロック位置において前記ブロック爪に係合するように構成され、前記カムディスクの係合解除カムが、前記解除位置において前記ブロック爪に係合するように構成されていることを特徴とするシートベルト用ベルト巻取装置。
【請求項２１】
前記ブロック爪が、前記係合カムとのみ係合する係合レバーと、前記係合解除カムとのみ係合する係合解除レバーとを有することを特徴とする請求項２０に記載のベルト巻取装置。
【請求項２２】
前記ブロック爪がスプリングによって前記ブロック位置または前記解除位置にロックされることを特徴とする請求項２０に記載のベルト巻取装置。
【請求項２３】
前記スプリングが２つの凹部を有し、一方の凹部が、前記ブロック位置で前記ブロック爪の係止凸部を係止し、もう一方の凹部が、前記解除位置で前記ブロック爪の係止凸部を係止することを特徴とする請求項２２に記載のベルト巻取装置。
【請求項２４】
前記係合レバーが、前記カムディスクの前記係合解除カムを介しては偏向及び／又は接触されない長さに設定され、前記ブロック爪の前記係合解除レバーが、前記カムディスクの前記係合カムによって偏向及び／又は接触されないような長さに設定されていることを特徴とする請求項２１に記載のベルト巻取装置。
【発明の詳細な説明】
【技術分野】
【０００１】
本発明は、シートベルト用ベルト巻取装置に関する。例えば、子供が自動車でシートベルトを締めている場合、当該自動車の移動中に子供がふざけてベルト巻取装置からベルトを引出して、ベルトをいっぱいまで延ばす危険性がある。これによりシートベルトの安全保持機能に悪影響を及ぼし、あるいはシートベルトの機能を無効にしてしまう可能性がある。
【０００２】
大人でさえ、自動車移動中に、例えば、移動中の快適さを向上させるために、必要な安全性を確保する上で許容される以上にベルトを引出すことがある。
【背景技術】
【０００３】
この問題に関して、米国特許第５，５１８，１９７号は、自動ロック式巻取（ＡＬＲとも称呼される）モードを可能にするシートベルト用ベルト巻取装置を開示している。ＡＬＲモードは、保護すべき乗員がシートベルトをかけた後、シートベルトが引出されないようにするベルト巻取装置の動作態様である。この目的のために、この公知のベルト巻取装置は、ベルト巻取装置のベルトリールに回転可能に固定連結された偏心ディスクを有し、カムディスクを直接駆動する。カムディスクと偏心ディスクが、減速ギアとしてのウォッブルギアを構成する。
【０００４】
更に、この公知のベルト巻取装置は、ブロック位置（作動状態）では、シートベルトの回転引出方向に（ベルト巻取装置のベルトリールと同時に回転する）歯付ラチェットをブロック（規制）し、解除位置（非作動状態）では、歯付ラチェットから外れて、歯付ラチェットに影響を及ぼさないようにするブロック爪を有する。
【０００５】
この公知のベルト巻取装置によれば、カムディスクは、ブロック爪を解除位置からブロック位置に、またブロック位置から解除位置に切換できるように構成されている。ブロック爪がブロック位置に位置している場合、この公知のベルト巻取装置は、ブロック爪が、歯付ラチェットと係合して、シートベルトが引出方向に引出されないようにブロックするため、ＡＬＲモードで動作する。一方、ブロック爪が解除位置に位置している場合、ブロック爪と歯付ラチェットが外れて、ベルト巻取装置は、通常通りに動作可能である。この場合、ベルト巻取装置の通常動作とは、シートベルトをかけた後でも、シートベルトは、比較的ゆっくり引き出される限り引出可能とされる。この通常の動作態様は、緊急ロック巻取装置（ＥＬＲ）モードとも称呼される。
【０００６】
この公知のベルト巻取装置を十分に機能させるには、シートベルトの全長が減速ギアの減速率に比較的正確に一致することが必要である。これは、シートベルトの長さが減速ギアの減速率に比較的正確に一致しさえすれば、ブロック爪がカムディスクによって動作停止された後、誤って再作動されることがないからである。従って、この公知のベルト巻取装置の場合、切換ポイントは、減速ギアの減速率によって予め一定の値に設定される。
【特許文献１】米国特許第５，５１８，１９７号
【発明の開示】
【０００７】
本発明は、その目的の１つとして、信頼性の高いＡＬＲモード（自動巻取り式モード）を可能とし、許容誤差に左右されないベルト巻取装置を提供することを含む。
【０００８】
本発明においては、カムディスクは、ブロック位置においてブロック爪に係合する係合カムと、係合カムとは別個に設けられて、解除位置においてブロック爪に係合する係合解除カムとを有するように構成されている。
【０００９】
ベルト巻取装置の重要な利点は、係合カムと係合解除カムの２つの切換カムが設けられていることにより、シートベルトの長さは、減速ギアの減速率に無関係、もしくは少なくとも殆ど無関係に設定できるという点である。これは、ブロック位置に係合する別個のブロックカムすなわち係合カムと、このブロックを外す別個の係合解除カムが設けられているからである。
【００１０】
ベルト巻取装置の更に別の重要な利点は、減速ギアの減速率を調節する必要なく、自動車メーカーによって予め設定された切換爪の動作を停止するための様々な切換ポイントを有する様々な自動車にすぐに使用可能であることである。これは、２つの切換カムが設けられていることにより、切換ポイント（自動車の所定の仕様による）が、切換カムの適切な空間配置によって減速ギアの減速率と殆ど無関係に設定可能であるからである。
【００１１】
ベルト巻取装置の更に別の重要な利点は、構造が簡単でコスト性に優れていることである。これは、カムディスクが偏心ディスクによって直接駆動されるからである。カムディスクと偏心ディスクの間に更に別のコントロールディスクやギアディスクが設けられていないので、材料費や取付費を削減できる。
【００１２】
ブロック爪が、係合カムとのみ係合する係合レバーを有し、また更に、カムディスクの係合解除カムとのみ係合する係合解除レバーを有すれば、このベルト巻取装置は特に確実に機能することが可能である。このベルト巻取装置の構成では、ブロック爪が、その切換に対応するカムディスクの切換カムとそれに対応する切換レバーによってのみ切換可能であるので、ブロック爪が誤って切り換えられることがないようにされている。
【００１３】
ブロック爪が回転軸回りに回転可能に取付けられている場合、ブロック爪は、特に簡単に、解除位置からブロック位置に、またはブロック位置から解除位置に切換可能である。回転軸は、ベルト巻取装置のハウジング上に設けられる。
【００１４】
ブロック爪の位置をロックする（ブロック爪をブロック位置にロックするか、または解除位置にロックする）には、ブロック爪を所定位置に固定するスプリングを設ける。ブロック爪の位置を固定するスプリングは、例えば、金属性スプリングでもよい。金属性スプリングの代わりに、例えば、ベルト巻取装置のハウジング上に射出成形されたプラスチック部材によって構成された樹脂スプリングを用いてもよい。
【００１５】
スプリングが２つの凹部を有し、一方の凹部が、ブロック位置でブロック爪の係止凸部を保持または固定し、もう一方の凹部が、解除位置でブロック爪の係止凸部を保持または固定すれように構成すれば、ブロック爪のブロック位置と解除位置が、特に簡単に係止可能である。
【００１６】
更にスプリングは、ブロック爪が、ブロック位置から解除位置に、または解除位置からブロック位置に切り換わる際に、死点を超えなければならないように構成されていてもよい。
【００１７】
係合レバーが、係合解除カムによって偏向または接触されないような長さ寸法に形成されて配置され、係合解除レバーが、係合カムによって偏向または接触されないような長さ寸法に形成されて配置されていれば、特に簡単に、係合レバーが係合カムとのみ係合するとともに、係合解除レバーが係合解除カムとのみ係合するようにできる。
【００１８】
このような係合レバー、係合解除レバー、係合カムおよび係合解除カムの寸法構成や配置は、２つの切換カムの一方が他方の切換カムよりもカムディスクの中心から離れていれば、特に簡単で有利に確実にできる。
【００１９】
更に、係合解除カムと係合カムが、カムディスクのその他の部分に比べて持ち上がって隆起していてもよい。２つの切換カムの一方の高さが、他方の切換カムの高さより（カムディスクに対して）高くてもよい。すなわち、一方の切換カムが、他方の切換カムより高く持ち上がって隆起していてもよい。更に、高い方の切換カムは、低い方の切換カムよりもカムディスクの中心に近くてもよい。
【００２０】
また、カムディスクが歯付外縁部を有し、外縁部の歯がハウジングに固定された内歯リングによって囲まれていれば有利である。内歯リングに比べて、歯付外縁部は、径が大きく相補形の歯を有している。カムディスクは、周方向に関して限定された範囲に渡って内歯リングに係合するよう構成される。外縁部と内歯リングの歯は、ベルトリールの回転時にカムディスクが内歯リングに沿って転動するように、互いに対向して径方向に離れて配置されている。
【００２１】
内歯リングが、カムディスクよりも多くの歯を有し、偏心ディスク、カムディスク、およびハウジングに固定された内歯リングによって構成されたウォッブルギアを減速させる。カムディスクは、好ましくは、歯数Ｚ１＝２６を有し、（ハウジングに固定された）内歯リングは、歯数Ｚ２＝２７を有するように構成する。この場合、ギアの減速率Ｉは、以下のようになる。
【数１】
2004262447.tif 000003
【００２２】
ギアがこのように構成されていると、ベルト巻取装置のベルトリールの回転、または、偏心ディスクの３６０度の回転によって、カムディスクが、
【数２】
2004262447.tif 000004
回転する。
【００２３】
上記した上位概念的な記載、および以下の詳細な説明は例示的かつ説明用のものであり、特許請求の範囲に記載された発明の範囲を制限するものではない。
【発明を実施するための最良の形態】
【００２４】
本発明によるベルト巻取装置１０の例示的実施の形態が図１に示されている。ベルト巻取装置１０は、内歯リング３０が形成されたハウジング２０を有する。内歯リング３０は、歯数Ｚ２＝２７を有する。
【００２５】
歯付き周縁部を有するカムディスク４０が、内歯リング３０内に設けられている。カムディスク４０は、歯数Ｚ１＝２６を有する。
【００２６】
カムディスク４０が、ベルトリール（図１には図示されていない）の回転軸６０回りにベルトリールとともに回転可能に固定されて回転する偏心ディスク５０によって、直接的に駆動される。内歯リング３０は、ベルトリールの回転軸６０に対して同心状に設けられ、ベルトリールに対して同心状に配置されている。
【００２７】
カムディスク４０の径と内歯リング３０の径は、カムディスク４０と内歯リング３０が、周方向について、それぞれ所定の範囲に渡ってのみ噛合するように設定されるとともに、偏心ディスク５０が回転軸６０回りに回転するとカムディスク４０が内歯リング３０に沿って転動するようにカムディスク４０の歯と内歯リング３０の歯が互いに対向して径方向に離れるように設定される。
【００２８】
偏心ディスク５０、カムディスク４０、内歯リング３０が、ウォッブル・ギア（Wobble Gear）を構成する。ウォッブル・ギアの減速率は、次の等式で求められる。
【数３】
2004262447.tif 000005
【００２９】
更に、係止アーム１１０を有するブロック爪１００が図１に示されている。ブロック爪１００の位置によって、係止アーム１１０は、ベルト巻取装置１０のベルトリールと同時に回転する歯付ラチェット（図１には図示されていない）と係合する。
【００３０】
この場合、歯付ラチェットの同時回転は、ベルトリールと歯付ラチェットが互いに回転に関して固定状に連結されることによって可能である。この場合、ブロック爪１００には、ブロック位置において負荷が作用する。
【００３１】
あるいは、歯付ラチェットの同時回転は、ベルトリールと歯付ラチェットが弾性的に連結されることによっても可能である。弾性連結の場合には、ベルトリールと歯付ラチェットが相対回転することが可能である。この場合、歯付ラチェットは（ブロック爪１００がブロック位置にあることによって）ブロックされるが、ベルトリールはブロックされない。その結果、ベルトリールは、弾性位置にあるために回転し続けることが可能であり、そのために、ベルトリールと歯付ラチェットとの間の角度に差（位相差）が生じる。このように角度差が生じると、（対応する長孔ガイドまたは長孔スイッチ機構によって）ベルト巻取装置のブロック爪が作動され、負荷を作用させてベルトリールをロック可能である。すなわち、このように歯付ラチェットが同時回転する構成では、ブロック爪は、負荷が作用せずに、ベルト巻取装置のブロック爪が作動される切換アーム（「リリースアーム」とも呼ばれる）としての機能のみを果たす。
【００３２】
更に、図１に示されているように、ブロック爪１００は、スプリング１２０によって特定の位置に保持されている。ブロック爪１００は、詳細は後述するが、カムディスク４０のカムを切換えることによって切換可能である。
【００３３】
図１によるベルト巻取装置１０の詳細図が、ブロック爪１００とカムディスク４０の相互作用を示す図２に示されている。図２には、カムディスク４０が、係合カム１３０と係合解除カム１４０の２つの切換カムを有する構成が示されている。係合カム１３０と係合解除カム１４０によって、ブロック爪１００は以下のように切換可能である。
【００３４】
ベルトストラップがベルト巻取装置１０から引出されると、ベルト巻取装置１０のベルトリールが矢印１５０の方向に回転する。偏心ディスク５０は、回転に関して固定状にベルトリールに連結されているので、これに対応して同時に回転して、カムディスク４０を偏心させる。このようにカムディスク４０が偏心することによって、カムディスク４０は、内歯リング３０に沿って転動し、矢印方向１６０、すなわち、偏心ディスク５０の回転方向と反対方向に回転する。このようにカムディスク４０が回転することによって、係合カム１３０が、ブロック爪１００の係合レバー１７０に向かって移動する。係合カム１３０が係合レバー１７０に当接するとすぐに、ブロック爪１００が、回転軸２００回りに回転し、ブロック爪１００の係止アーム１１０が矢印方向２２０へと下方に移動する。
【００３５】
また、係合カム１３０によって係合されない係合解除レバー１７５が図２に示されている。
【００３６】
ブロック爪１００と係合カム１３０の正確な一連の移動が、時間経過で図２〜４により分かる。すなわち、係合カム１３０がブロック爪１００を偏向（変位）させてブロック爪１００の係止凸部２３０がスプリング１２０の第１凹部２４０から外れたことが図４で分かる。ブロック爪１００の係止凸部２３０は、スプリング１２０の第１凹部２４０と第２凹部２５０との間に位置している。
【００３７】
また、図２〜４により分かるように、スプリング１２０の第１凹部２４０は、ブロック爪１００の係止アーム１１０がベルト巻取装置１０の歯付ラチェット３００から外れる解除位置においてブロック爪１００を固定するためのものである。しかし、（スプリング１２０のスプリング力により）係止凸部２３０がスプリング１２０の第１凹部２４０または第２凹部２５０に入り込もうとするので、（図４に示されているように）切換状態は安定していない。
【００３８】
係合カム１３０による係合レバー１７０の偏向（変位）により、係止凸部２３０は、スプリング１２０の第２凹部２５０に入り込む。このように係止凸部２３０がスプリング１２０の第２凹部２５０に入り込んだ状態が図５に詳細に示されている。ブロック爪１００が、回転軸２００回りに約２０度回転して、係止アーム１１０が歯付ラチェット３００に係合している。係合レバー１７０の長さと係合解除レバー１７５の長さは、係止凸部２３０が常にスプリング１２０のスプリング作用とは無関係に案内されて図４に示す死点を超すように設定されている。
【００３９】
このとき、係止アーム１１０が定位置に係止されているため、係止アーム１１０によって、歯付ラチェット３００が矢印方向３１０（ベルト引出方向）に回転することができないようになされている。その結果、歯付ラチェット３００の矢印方向３２０（ベルト巻取方向）への回転が可能となる。つまり、ベルト巻取装置１０のベルトローラも同様に矢印方向３２０にしか回転できず、ベルト巻取装置１０のベルトは、ベルト巻取装置に巻き取られるしかなく、ベルト巻取装置から引出すことはできない。
【００４０】
ベルトスピンドル、ひいては、偏心ディスク５０も同様に矢印方向３２０にしか回転できず、カムディスク４０は、常に偏心ディスク５０の回転方向と反対方向に回転するので、カムディスク４０は、矢印方向３１０にしか回転できない。
【００４１】
図５によるブロック爪１００の解除位置からブロック位置への切換は、再度、図５Ａにより詳細に立体図で示されている。
【００４２】
図５および６に示されているように、カムディスク４０が、矢印方向３１０に回転すると、係合カム１３０が再び案内されてブロック爪１００を通り越す。しかし、このように係合カム１３０が案内されてブロック爪１００を通り越す時、ブロック爪１００が作動しなくなる（つまり、係止アーム１１０が回転して歯付ラチェット３００から離れる）事態は生じない。
【００４３】
これは、ベルト巻取装置１０においては、特に、係合レバー１７０が、図５および６に示されているブロック爪１００のブロック位置で係合カム１３０によってもはや係合されないように構成配置されていることによって達成される。従って、ブロック爪１００の係合後、ブロック爪１００がリセットされずに、係合カム１３０は、係合レバー１７０を通り越すように案内される。
【００４４】
更にブロック爪１００は、ブロック爪１００の係合解除レバー１７５についても、係合カム１３０によって係合されないように構成されている。これによって、係合カム１３０が回転して戻ってブロック爪１００を通り越す時、ブロック爪１００が作動しなくなるようなことが起こらず、ブロック爪１００の係止アーム１１０が歯付ラチェット３００に係合した状態が維持されるように構成されている。
【００４５】
要するに、ブロック爪１００のブロック位置の係合後、すなわち、ブロック爪１００の作動後、係合カム１３０によって、ブロック爪１００が切り換えられて作動しなくなることがないようにすることが可能である。従って、ベルト巻取装置１０のシートベルトは、ブロック爪１００が作動しなくなることなく、簡単にベルト巻取装置に戻る。
【００４６】
図７〜１０には、ブロック爪１００の動作停止、すなわち、ブロック位置から解除位置への切換が示されている。図に示されているように、係合解除カム１４０は、ブロック爪１００の係合レバー１７０を通り越してブロック爪１００の係合解除レバー１７５に係合する。この場合、（特に図８から分かるように）ブロック爪１００が回転軸２００回りに回転して、係止アーム１１０が矢印方向４００に回転可能となる。この際、ブロック爪１００の係止凸部２３０が、スプリング１２０の第２凹部２５０からスプリング１２０の第１凹部２４０に戻る。
【００４７】
係止アーム１１０が回転することは、係止アーム１１０が歯付ラチェット３００から外れ、歯付ラチェット３００ひいてはベルト巻取装置１０のベルトリールが回転両方向（図８に両方向の矢印４００で示されている）に回転可能であることを意味する。ブロック爪の動作停止後、ベルト巻取装置１０は、通常動作すなわちＥＬＲモードにおいて、所望の通りに巻取／引出動作することができる。ブロック爪１００の解除位置への切換が、更に、図８Ａに立体図で示されている。
【００４８】
また、ブロック爪１００の係止アーム１１０は、（ブロック爪１００がブロック位置にある場合に）歯付ラチェット３００がベルト巻取方向に回転すると、容易に聞き取れる作動音が生じるように構成されている。この作動音は、歯付ラチェット３００の各ラチェット歯の傾斜フランク上で、スプリング１２０のスプリング力によって、係止アーム１１０が、歯付ラチェット３００の方向に加速されて歯付ラチェット３００に当接することで、聞き取り可能な程度に生じる。
【００４９】
係合解除カム１４０がブロック爪１００を誤って再作動させることがないように、係合解除カム１４０は、切換後、ブロック爪１００の係合レバー１７０を偏向（変位）できないように構成されている。従って、係合解除カム１４０は、ブロック爪１００が作動されることなく、ブロック爪１００の係合レバー１７０を通り越す。
【００５０】
図１１Ａおよび１１Ｂには、ブロック爪１００の係合レバー１７０と係合カム１３０が、係合レバー１７０が係合カム１３０によって確実に偏向（変位）可能であるように構成されている態様が示されている。図に示されているように、係合カム１３０は、カムディスク４０の基盤面６００から隆起し、高さＨを有するよう形成されている。高さＨは、係合カム１３０の作用端すなわち切換面６１０が、ブロック爪１００の係合レバー１７０に当接して係合レバー１７０を変位動作させることが可能な大きさに設定されている。この係合カム１３０の係合レバー１７０との当接が、再度、図１１Ｂに平面視で示されている。
【００５１】
係合解除レバー１７５の構成の態様が図１２Ａおよび１２Ｂに示されている。図に示されているように、係合解除レバー１７５は、ブロック爪１００の位置とは無関係に、その長さが短く形成されているため、係合カム１３０と係合しない。係合カム１３０の作用端面（切換面）６１０と係合解除レバー１７５との間には、図１２Ａに示された間隔（参照記号「ａ」で示されている）が形成される。
【００５２】
図１３Ａおよび１３Ｂには、係合解除カム１４０の構成が示されている。図に示されているように、係合解除カム１４０は、ブロック爪１００の係合レバー１７０に当接しないような高さｈを有する。すなわち、係合レバー１７０は、係合解除カム１４０が係合レバー１７０の下方に案内されるように配置されている。このように係合解除カム１４０が係合レバー１７０の下方に案内されている状態が、図１３Ｂに詳細に示されている。
【００５３】
更に、図１３Ａに示されているように、係合解除カム１４０は、係合カム１３０よりもカムディスクの中心から離れるように、ブロック爪１００側へと伸びている。すなわち、係合解除カム１４０の外端部に位置する係合解除カム１４０の切換面６３０は、係合カム１３０の切換面６３０よりもカムディスク４０の中心点から離れている。従って、係合カム１３０とは反対に、係合解除カム１４０は、係合解除レバー１７５を作動させることができる。これは、係合解除カム１４０の切換作用面６３０が、係合解除レバー１７５と係合可能に構成されているからである（図１４Ａおよび１４Ｂ）。
【００５４】
すなわち、係合カム１３０と係合解除カム１４０が設けられていることによって、ブロック爪１００を誤って解除すなわち動作停止させたり、誤って係合すなわち作動させたりすることがないようにすることが可能である。係合カム１３０と係合解除カム１４０がカムディスク４０上に互いに離間して配置されていることによって、このようにブロック爪１００が誤って切り換えられることが回避される。
【００５５】
特に図２から理解されるように、係合カム１３０と係合解除カム１４０は、互いに角度α離れている。この角度αは、カムディスク４０をこの角度だけ回転させるのに必要なベルトリールの回転速度が、自動車の仕様によって、ベルトリールに巻かれたシートベルトの長さに対応するように設定される。言い換えれば、角度αが対応して変更されるので、ベルト巻取装置は、様々な自動車の仕様に対応させることが可能である。カムディスク４０の切換ポイントは、角度αの設定、ひいては切換カムの対応する配置によって、ギア、またはギアの減速率を変更することなく設定可能である。また、ブロック爪１００は、係合カム１３０によってのみ作動され、係合解除カム１４０によってのみ動作停止されるので、シートベルトの長さが、係合カム１３０と係合解除カム１４０との間の角度αに完全に一致するかどうかは重要ではない。
【００５６】
優先権主張の基礎として２００３年２月２８日に出願されたドイツ特許出願ＤＥ１０３１００２０．２号の内容が引用される。
【００５７】
以上、本発明の実施形態を記載したが、本発明はこれらに限られるものではない。当業者には、本発明の趣旨から逸脱することなく本発明の上記実施形態に様々な変更を加えることができることは自明である。従って、そのような他のベルト巻取装置とその使用方法は、完全に本発明の権利範囲内にある。本明細書に記載された装置および方法は、例示用であり、本発明の権利範囲を限定するものではない。
【図面の簡単な説明】
【００５８】
【図１】ベルト巻取装置の例示的な実施形態を示す側面斜視図である。
【図２】図１に示すベルト巻取装置におけるブロック爪の切換の経時的態様を示す。
【図３】図１に示すベルト巻取装置におけるブロック爪の切換の経時的態様を示す。
【図４】図１に示すベルト巻取装置におけるブロック爪の切換の経時的態様を示す。
【図５】図１に示すベルト巻取装置におけるブロック爪の切換の経時的態様を示す。
【図５Ａ】ブロック爪の切換の詳細な態様を示す。
【図６】図１に示すベルト巻取装置におけるブロック爪の切換の経時的態様を示す。
【図７】図１に示すベルト巻取装置におけるブロック爪の切換の経時的態様を示す。
【図８】図１に示すベルト巻取装置におけるブロック爪の切換の経時的態様を示す。
【図８Ａ】ブロック爪の切換の詳細な態様を示す。
【図９】図１に示すベルト巻取装置におけるブロック爪の切換の経時的態様を示す。
【図１０】図１に示すベルト巻取装置におけるブロック爪の切換の経時的態様を示す。
【図１１Ａ】図１に示すベルト巻取装置のカムディスクの切換カムとブロック爪の寸法構成を示す。
【図１１Ｂ】図１に示すベルト巻取装置のカムディスクの切換カムとブロック爪の寸法構成を示す。
【図１２Ａ】図１に示すベルト巻取装置のカムディスクの切換カムとブロック爪の寸法構成を示す。
【図１２Ｂ】図１に示すベルト巻取装置のカムディスクの切換カムとブロック爪の寸法構成を示す。
【図１３Ａ】図１に示すベルト巻取装置のカムディスクの切換カムとブロック爪の寸法構成を示す。
【図１３Ｂ】図１に示すベルト巻取装置のカムディスクの切換カムとブロック爪の寸法構成を示す。
【図１４Ａ】図１に示すベルト巻取装置のカムディスクの切換カムとブロック爪の寸法構成を示す。
【図１４Ｂ】図１に示すベルト巻取装置のカムディスクの切換カムとブロック爪の寸法構成を示す。
【符号の説明】
【００５９】
１０  ベルト巻取装置
２０  ハウジング
３０  内歯リング
４０  カムディスク
５０  偏心ディスク
６０  回転軸
１００  ブロック爪
１１０  係止アーム
１２０  スプリング
１３０  係合カム
１７０  係合レバー
１７５  係合解除レバー
２３０  係止凸部
２４０  第１凹部
２５０  第２凹部
３００  歯付ラチェット
【図１】
2004262447.tif 000006
【図２】
2004262447.tif 000007
【図３】
2004262447.tif 000008
【図４】
2004262447.tif 000009
【図５】
2004262447.tif 000010
【図５Ａ】
2004262447.tif 000011
【図６】
2004262447.tif 000012
【図７】
2004262447.tif 000013
【図８】
2004262447.tif 000014
【図８Ａ】
2004262447.tif 000015
【図９】
2004262447.tif 000016
【図１０】
2004262447.tif 000017
【図１１Ａ】
2004262447.tif 000018
【図１１Ｂ】
2004262447.tif 000019
【図１２Ａ】
2004262447.tif 000020
【図１２Ｂ】
2004262447.tif 000021
【図１３Ａ】
2004262447.tif 000022
【図１３Ｂ】
2004262447.tif 000023
【図１４Ａ】
2004262447.tif 000024
【図１４Ｂ】
2004262447.tif 000025
【外国語明細書】
2004262447.tif 000026
2004262447.tif 000027
2004262447.tif 000028
2004262447.tif 000029
2004262447.tif 000030
2004262447.tif 000031
2004262447.tif 000032
2004262447.tif 000033
2004262447.tif 000034
2004262447.tif 000035
2004262447.tif 000036
2004262447.tif 000037
2004262447.tif 000038
2004262447.tif 000039
2004262447.tif 000040
2004262447.tif 000041
2004262447.tif 000042
2004262447.tif 000043
2004262447.tif 000044
2004262447.tif 000045
2004262447.tif 000046
2004262447.tif 000047
2004262447.tif 000048
2004262447.tif 000049
2004262447.tif 000050
2004262447.tif 000051
2004262447.tif 000052
2004262447.tif 000053
2004262447.tif 000054
2004262447.tif 000055
2004262447.tif 000056
2004262447.tif 000057
2004262447.tif 000058
2004262447.tif 000059
2004262447.tif 000060
2004262447.tif 000061
2004262447.tif 000062
2004262447.tif 000063
2004262447.tif 000064
2004262447.tif 000065
2004262447.tif 000066